(57)【特許請求の範囲】
【請求項１】
電気機器（１０）のベース（２０）が中央スペース（６０）を有し、この中央スペース（６０）が支持レール（５０）と形状合致しまた前記中央スペース（６０）は開いたスライドレール（６１）によってその一方の側において画成され、このスライドレール（６１）の中に前記支持レール（５０）の一方の縁部分（５４）が収容され、前記支持レール（５０）の他方の縁部分（５５）が保持フック（２４ｃ）によって保持されるように成された電気機器（１０）の固着装置において、
−前記ベース（２０）は押出し部材から成り、
−前記固着装置は少なくとも１つの湾曲バネ（７０）を含み、この湾曲バネが前記スライドレール（６１）の長さの一部にそって延在するように前記スライドレール（６１）の中に滑り込まされて挿入され、前記湾曲バネ（７０）は板バネであって、また前記バネ（７０）は前記支持レール（５０）の一方の縁部分（５４）のカント（５６）を押圧する事のできる接触面（７３）を備え、また
−前記固着装置は前記スライドレール（６１）中に前記バネ（７０）を停止させるストッパ手段（７５）を含み、
側面閉鎖フランジ（２４）がベース（２０）の両端に取付けられ、各側面フランジ（２４）はストッパ（２４ｂ）を有し、このストッパ（２４ｂ）がスライドレール（６１）の中に収容された支持レール（５０）の縁部分（５４）のカント（５６）上に当接してバネ（７０）の曲げを制限するように設計されている事を特徴とする固着装置。
【請求項２】
電気機器（１０）のベース（２０）が中央スペース（６０）を有し、この中央スペース（６０）が支持レール（５０）と形状合致しまた前記中央スペース（６０）は開いたスライドレール（６１）によってその一方の側において画成され、このスライドレール（６１）の中に前記支持レール（５０）の一方の縁部分（５４）が収容され、前記支持レール（５０）の他方の縁部分（５５）が保持フック（２４ｃ）によって保持されるように成された電気機器（１０）の固着装置において、
−前記ベース（２０）は押出し部材から成り、
−前記固着装置は少なくとも１つの湾曲バネ（７０）を含み、この湾曲バネが前記スライドレール（６１）の長さの一部にそって延在するように前記スライドレール（６１）の中に滑り込まされて挿入され、前記湾曲バネ（７０）は板バネであって、また前記バネ（７０）は前記支持レール（５０）の一方の縁部分（５４）のカント（５６）を押圧する事のできる接触面（７３）を備え、また
−前記固着装置は前記スライドレール（６１）中に前記バネ（７０）を停止させるストッパ手段（７５）を含み、
前記板バネ（７０）は波形（７１）を有し、この波形は少なくとも２つの上突起（７２ｂ）と下突起（７２ａ）とを含み、これらの突起がそれぞれスライドレール（６１）の底面（６２）とこの底面に平行なスライドレールの内向き折り返し部分（６４）とに当接し、前記バネの接触面（７３）は波形（７１）の前記下突起（７２ａ）によって形成される事を特徴とする固着装置。
【請求項３】
電気機器（１０）のベース（２０）が中央スペース（６０）を有し、この中央スペース（６０）が支持レール（５０）と形状合致しまた前記中央スペース（６０）は開いたスライドレール（６１）によってその一方の側において画成され、このスライドレール（６１）の中に前記支持レール（５０）の一方の縁部分（５４）が収容され、前記支持レール（５０）の他方の縁部分（５５）が保持フック（２４ｃ）によって保持されるように成された電気機器（１０）の固着装置において、
−前記ベース（２０）は押出し部材から成り、
−前記固着装置は少なくとも１つの湾曲バネ（７０）を含み、この湾曲バネが前記スライドレール（６１）の長さの一部にそって延在するように前記スライドレール（６１）の中に滑り込まされて挿入され、前記湾曲バネ（７０）は板バネであって、また前記バネ（７０）は前記支持レール（５０）の一方の縁部分（５４）のカント（５６）を押圧する事のできる接触面（７３）を備え、また
−前記固着装置は前記スライドレール（６１）中に前記バネ（７０）を停止させるストッパ手段（７５）を含み、
板バネ（７０）はその前端において、スライドレール中にバネを挿入しやすくするためスライドレールの底面（６２）と形状合致する突起（７２ｂ）を備え、またその後端において、スライドレールの中でバネを制動するように設計された保持ストッパ（７４）を備える事を特徴とする固着装置。
【請求項４】
電気機器（１０）のベース（２０）が中央スペース（６０）を有し、この中央スペース（６０）が支持レール（５０）と形状合致しまた前記中央スペース（６０）は開いたスライドレール（６１）によってその一方の側において画成され、このスライドレール（６１）の中に前記支持レール（５０）の一方の縁部分（５４）が収容され、前記支持レール（５０）の他方の縁部分（５５）が保持フック（２４ｃ）によって保持されるように成された電気機器（１０）の固着装置において、
−前記ベース（２０）は押出し部材から成り、
−前記固着装置は少なくとも１つの湾曲バネ（７０）を含み、この湾曲バネが前記スライドレール（６１）の長さの一部にそって延在するように前記スライドレール（６１）の中に滑り込まされて挿入され、前記湾曲バネ（７０）は板バネであって、また前記バネ（７０）は前記支持レール（５０）の一方の縁部分（５４）のカント（５６）を押圧する事のできる接触面（７３）を備え、また
−前記固着装置は前記スライドレール（６１）中に前記バネ（７０）を停止させるストッパ手段（７５）を含み、
前記ストッパ手段（７５）は、スライドレール（６１）の両端を閉じるようにベース（２０）の両端に取付けられた側面閉鎖フランジ（２４）から成る事を特徴とする固着装置。
【請求項５】
電気機器（１０）のベース（２０）が中央スペース（６０）を有し、この中央スペース（６０）が支持レール（５０）と形状合致しまた前記中央スペース（６０）は開いたスライドレール（６１）によってその一方の側において画成され、このスライドレール（６１）の中に前記支持レール（５０）の一方の縁部分（５４）が収容され、前記支持レール（５０）の他方の縁部分（５５）が保持フック（２４ｃ）によって保持されるように成された電気機器（１０）の固着装置において、
−前記ベース（２０）は押出し部材から成り、
−前記固着装置は少なくとも１つの湾曲バネ（７０）を含み、この湾曲バネが前記スライドレール（６１）の長さの一部にそって延在するように前記スライドレール（６１）の中に滑り込まされて挿入され、前記湾曲バネ（７０）は板バネであって、また前記バネ（７０）は前記支持レール（５０）の一方の縁部分（５４）のカント（５６）を押圧する事のできる接触面（７３）を備え、また
−前記固着装置は前記スライドレール（６１）中に前記バネ（７０）を停止させるストッパ手段（７５）を含み、
前記ストッパ手段（７５）はスライドレール（６１）の中に形成された横方向型材から成る事を特徴とする固着装置。
【請求項６】
電気機器（１０）のベース（２０）が中央スペース（６０）を有し、この中央スペース（６０）が支持レール（５０）と形状合致しまた前記中央スペース（６０）は開いたスライドレール（６１）によってその一方の側において画成され、このスライドレール（６１）の中に前記支持レール（５０）の一方の縁部分（５４）が収容され、前記支持レール（５０）の他方の縁部分（５５）が保持フック（２４ｃ）によって保持されるように成された電気機器（１０）の固着装置において、
−前記ベース（２０）は押出し部材から成り、
−前記固着装置は少なくとも１つの湾曲バネ（７０）を含み、この湾曲バネが前記スライドレール（６１）の長さの一部にそって延在するように前記スライドレール（６１）の中に滑り込まされて挿入され、前記湾曲バネ（７０）は板バネであって、また前記バネ（７０）は前記支持レール（５０）の一方の縁部分（５４）のカント（５６）を押圧する事のできる接触面（７３）を備え、また
−前記固着装置は前記スライドレール（６１）中に前記バネ（７０）を停止させるストッパ手段（７５）を含み、
前記保持フック（２４ｃ）はベース（２０）の両端に取付けられた側面フランジ（２４）の中に形成されている事を特徴とする固着装置。
【発明の詳細な説明】
【０００１】
【産業上の利用分野】
本発明は、電気機器、特にインタフェースのベースが中央スペースを有し、この中央スペースが支持レールと嵌合する形状を有しまた前記中央スペースは開いたスライドレールによってその一方の側において画成され、このスライドレールの中に前記支持レールの一方の縁部分が収容され、前記支持レールの他方の縁部分が保持フックによって保持されるように成された電気機器の固着装置に関するものである。
【０００２】
【従来の技術】
公知のように、インタフェースのベースの両端に側面フランジを備え、これらのフランジの中に係合した弾性ランナーによってインタフェースをレールに対して固着させる事ができる。前記弾性ランナーはインタフェースを取付け配置し、またレールに対して固着する事ができる。
【０００３】
【発明が解決しようとする課題】
しかしながら、インタフェースが不正確に取り外されると、ランナーの弾性限界を簡単に超えてランナーの固着機能の遂行が不可能になる。さらに、配置機能と固着機能を実施するフランジが複雑な形状の成形部品である。
【０００４】
また固着装置においてランナーを使用すれば、装置のサイズ、特にその深さを増大させる。
【０００５】
本発明の目的は、レールに対する電気機器の強固な固着を保証する固着装置を簡単に安価に製造するにある。またこれは固着装置のサイズを低減させてインタフェースのサイズ全体を縮小させる。
【０００６】
【課題を解決するための手段】
本発明によれば、この固着装置は、そのベースが押出し部材から成り、前記固着装置は少なくとも１つの湾曲バネを含み、この湾曲バネが前記スライドレールの長さの一部にそって延在するように前記スライドレールの中に滑り込まされて挿入され、前記湾曲バネは板バネであって、このバネが前記支持レールの一方の縁部分のカントを押圧する事のできる接触面を備え、また前記固着装置は前記スライドレール中に前記バネを停止させるストッパ手段を含む事を特徴とする。
【０００７】
側面閉鎖フランジがベースの両端に取付けられ、各フランジはストッパを有し、このストッパがスライドレールの中に収容された支持レールの縁部分のカント上に当接してバネの湾曲を制限するように設計されている。
【０００８】
前記板バネは波形を有し、この波形は少なくとも２つの上突起と下突起とを含み、これらの突起がそれぞれスライドレールの底面とこの底面に平行なスライドレールの内向き折り返し部分とに当接し、波形の前記下突起が前記バネとレールとの接触面を成す。
【０００９】
板バネはその前端において、スライドレール中にバネを挿入しやすくするためスライドレールの底面と形状合致する突起を備え、またその後端において、スライドレールの中でバネを制動するように設計された保持ストッパを備える。
【００１０】
スライドレール中のバネの保持は、ベースの両端に側面閉鎖フランジを取付ける事によって保証される。また前記側面フランジは、ベースのスライドレールの中に収容された支持レールの縁と反対側の縁を保持するように設計された保持フックを含む事ができる。
【００１１】
以下、本発明を図面に示す実施例について詳細に説明するが本発明はこれに限定されない。
【００１２】
【発明の実施の形態】
図１に図示のインタフェース１０は、処理装置、例えばプログラマブル・コントローラと、前記処理装置によって作動または制御されうる電気機器の一部との間に電気的に接続されるように成されている。
【００１３】
インタフェース１０はＸ−Ｘ’方向に延在する細長いベース２０と、前記ベースの長さにそってこのベース中に格納され全体としてＰ面に配置されたプリント配線板３０と、前記プリント配線板に対して溶接によって固着されたモジュラー・インタフェース装置４０とを有する。
【００１４】
ベース２０（図２）はＵ型断面を有し、押出されて所要のモジュラーインタフェース装置の数に対応する長さに切断されたプラスチック部品から成る
前記ベース２０は面Ｐに平行なステム２１と、上ウィング２２と下ウィング２３とを有する。これらのウィング２２、２３はステム２１から外側に突出し、Ｘ−Ｘ’方向に延在する一対のグルーブ２２ａ，２３ａを成し、これらのグルーブがその間にプリント配線板３０を滑り込ませる事ができる。
【００１５】
ベースの側面両端に対して側面閉鎖フランジ２４が取付けられている。これらのフランジはこの図においてネジによって固着され、これらのネジがウィング２２、２３とステム２１との継目の近くに配置されたネジ穴２５の中に嵌合するが、これらのフランジはクリップシステムによって固着する事もできる。
【００１６】
インタフェース１０は壁体または板の支持レール５０上に搭載されるように設計されている。
【００１７】
支持レール５０は標準型キャップ状断面を成すように折り曲げられている。このレールは２つのウィング５２、５３に連接された中央ステム５１から成り、これらのウィングが折り曲げられて、中央ステム５１のいずれかの側の同一面において２つの縁部分５４、５５を成す。上縁部分５４は上カント５６を成し、下縁部分５５は下カント５７を成す。
【００１８】
インタフェース１０をレールに固着する装置は、ベース上に配置された弾性的配置・把持手段と、側面フランジ上に配置された保持手段とを含む。
【００１９】
ベース２０のステム２１の後側は中央スペース６０を有し、このスペースはベースの縦方向に延在し、支持レール５０と嵌合するように形成されている。スペース６０の上端は軸線Ｘ−Ｘ’にそってスライドレール６１によって画成され、このスライドレール６１は下方に開いてレール５０の上縁部分５４を受けるように設計されている。
【００２０】
下方に開いたスライドレール６１は底面６２と、縁６３と、このこの縁に対して接合された前記底面に対して平行な内向き折り返し部分６４、これらの折り返し部分６４の間に前記底部６２に対向するように配置された開口６５とを含む。このスライドレール６１は軸線Ｘ−Ｘ’にそって少なくとも１つの板バネ７０を収容し、この板バネが弾性配置・把持手段を成す。前記底面６２の長さに対応して、スライドレールの両端にそれぞれ配置された２つの板バネを備える事ができる。
【００２１】
板バネ７０は、バネ長がスライドレールの長さの少なくとも一部に延在するようにスライドレール６１の中に滑らかに滑り込まされる。
【００２２】
板バネがスライドレールの中に導入される時（図３）、このバネは把持されていてＸ−Ｘ’軸線に対して直角方向に湾曲させられる。バネは波形７１を成し、この波形の上端７２ｂ、下端７２ａがバネの幅の両端においてそれぞれスライドレール６１の底部６２と内向き折り返し部分６４とに対して圧着される。上端７２ｂはスライドレールの中にバネを挿入しやすくするためのバネ前端を成し、下端７２ａはレール５０と接触するための接触面７３を成す。バネの後端が保持ストッパ７４を成し、スライドレールの底部６２と接触してバネを制動する。バネはストッパ手段７５によってスライドレール６１の中に保持される。ストッパ手段７５は、スライドレールの両端を閉塞する閉鎖フランジ２４から成る。またバネ後端７４と協働する凹部など、スライドレールの内側面の形状を追加する事ができる。
【００２３】
側面閉鎖フランジ２４は面Ｐに対して平行なスペース２４ａを含み、このスペースがレール５０を収容し、またベースのスペース６０から突出するようにこのレールを配置する。スペース２４ａの上部はレールの上カント５６に当接するストッパ２４ｂによって画成され、スペース２４ａの下部はレールの下縁部分５５を保持する手段を成す保持フック２４ｃによって画成される。
【００２４】
この固着装置１０の操作を付図４、５、６について下記に説明する。
【００２５】
支持レール５０上にインタフェース１０を搭載するため、板バネ７０の接触面７３がレールの上縁部分５４のカント５６を押圧するように、レール５０の上縁部分５４をスライドレール６１の開口６５の中に係合させる（図４）。この状態において、レールの上縁部分５４がスライドレール６１の中に部分的に係合しているが、レールの下縁５５は保持フック２４ｃの中に係合していない事を注意しよう。スペース２４ａの底部の面Ｙ−Ｙ’は支持レール５０のステム５１の面Ｍ−Ｍ’に対して鋭角を成す。
【００２６】
支持レール上にインタフェースを締付けるため、多少とも垂直方向の下向き力Ｆをインタフェースに対して加えて、板バネ７０を湾曲させ、この板バネをスライドレール６１の中においてレール５０の上縁５４に向かって少し移動させる。次にインタフェースを少し傾斜させて、フランジ２４のストッパ２４ｂをレール５０の上カント５６に対して押圧し、レール５０の下縁部分５５をフック２４ｃに対向させる。インタフェースに加えられる力Ｆが除去されると、フランジ２４のフック２４ｃがレール５０の縁部分５５と係合し、フック２４ｃの底部がレール５０のカント５７に当接する（図５、図６）。
【００２７】
ベースのスペース６０とフランジ２０のスペース２４ａのサイズは、板バネ７０が湾曲した時に各部品が相互に締付られるように設計されている。フランジ２４のストッパ２４ｂとフック２４ｃの底部との高さＨはレール５０のカント５６と５７との間の高さｈより少し大である（図６）。
【００２８】
さらに、側面フランジ２４は、スライドレール６１を閉鎖する事によってバネを停止させ包囲する機能と、レール５０の上カント５６を押圧するストッパ２４ｂの作用によってバネの湾曲を制限する機能との二重機能を有する。バネはその弾性限界を越えて損傷または圧潰されないので、バネの把持機能がつねに保証される。
【００２９】
インタフェース１０を支持レール５０から取り外すためには、ユーザはインタフェースに対して多少とも垂直下降力を加えながら、インタフェースを傾斜させて図４に図示の位置にもたすだけでよい。
【００３０】
また、スライドレール６１をベースのスペース６０の上部ではなくベースの下部に嵌合させ、この場合、保持フック２４ｃを側面フランジ２４の上部に配置できる事は明かであろう。
【００３１】
固着装置の他の実施態様において、保持フック２４ｃをベースの中に形成し、スライドレール６１に対向配置させる事ができよう。
【００３２】
前記の固着装置においては、電気機器がキャップ状断面を有する支持レール上に固着されているが、例えば相互に対向し曲げバネを備えた一対のスライドレールを有する固着装置を使用して任意の型のレール上に電気機器を固着できる事は明かである。
【図面の簡単な説明】
【図１】支持レール上に搭載されたインタフェースの分解斜視図。
【図２】本発明による固着装置を備えたインタフェースベースの図１のＩＩ−ＩＩ線にそって取られた部分的断面を示す側面図。
【図３】インタフェースベースの一部の図１のＩＩＩ−ＩＩＩ線にそった断面図。
【図４】支持レール上に取付けられようとしている装置のＩＩ−ＩＩ線にそった部分的断面を示す側面図。
【図５】支持レール上に取付後の装置のＩＩ−ＩＩ線にそった部分的断面を示す側面図。
【図６】支持レール上に取付け後の本発明の装置の側面図。
【符号の説明】
１０  電気機器（インタフェース）
２０  ベース
２４  側面フランジ
２４ａ  側面フランジのスペース
２４ｂ  側面フランジのストッパ
２４ｃ  側面フランジの保持フック
５０  支持レール
５４  支持レールの縁部分
５５  支持レールの縁部分
５６  縁部分５４のカント
５７  縁部分５５のカント
６０  スペース
６１  スライドレール
６２  スライドレールの底面
６４  スライドレールの内側折り曲げ部分
７０  板バネ
７２ａ  バネの下方突起（板バネの接触面７３）
７２ｂ  バネの上方突起
７４  （バネ後端の）保持ストッパ
７５  バネストッパ手段（フランジ２４）
【図１】
0003821897.tif 000002
【図２】
0003821897.tif 000003
【図３】
0003821897.tif 000004
【図４】
0003821897.tif 000005
【図５】
0003821897.tif 000006
【図６】
0003821897.tif 000007